(57)【要約】【課題】衣類取出口の周辺部と水槽の上部との隙間が小さい洗濯機を輸送する際、衣類取出口の周辺部と水槽の上部とが衝突せず、衣類取出口の周辺部や水槽の上部の損傷を防止することができる洗濯機の包装装置を得る。【解決手段】衣類取出口２が形成された本体１の内部に吊り下げ収容された水槽５を備える洗濯機１００を包装する包装装置であって、衣類取出口２の周辺部と水槽５の上部との間に緩衝材１１を配置した。【選択図】図１
2009154928.tif 000002
【特許請求の範囲】
【請求項１】
衣類取出口が形成された本体の内部に吊り下げ収容された水槽を備える洗濯機を包装する包装装置であって、
前記本体の前記衣類取出口の周辺部と前記水槽の上部との間に第１の緩衝材を配置したことを特徴とする包装装置。
【請求項２】
前記衣類取出口の下部から前記水槽の上部にかけて設けられた内部緩衝部材を少なくとも備え、
該内部緩衝部材には、前記第１の緩衝材が掛合される被掛合部が形成され、
前記第１の緩衝材には、前記被掛合部に掛合する掛合部が形成され、
前記第１の緩衝材は、前記内部緩衝部材に掛止されていることを特徴とする請求項１に記載の包装装置。
【請求項３】
前記第１の緩衝材は、
少なくとも前記衣類取出口の周辺部と前記水槽の上部との間に配置される範囲が、フィルム状の樹脂部材で覆われていることを特徴とする請求項１又は請求項２に記載の包装装置。
【請求項４】
前記第１の緩衝材と前記フィルム状の樹脂部材との間には、
さらに第２の緩衝材が設けられていることを特徴とする請求項３に記載の包装装置。
【請求項５】
上部に開口部を有した中空有底形状の底トレーと、
上部が閉塞され、下部に開口部を有した中空形状の外装ケースと、
を備え、
前記底トレーの上方に前記冷蔵庫を配置し、前記外装ケースが該冷蔵庫を上方より覆った状態においては、
前記外装ケースの開口部は、前記底トレーに内包され、
前記外装ケースの開口部と前記底トレーの底面とが接触していることを特徴とする請求項１〜請求項４のいずれかに記載の包装装置。
【請求項６】
前記底トレー内部に設けられ、上部に前記冷蔵庫が配置される下部緩衝体を備え、
前記底トレーの側面と対向する前記下部緩衝体の側面には凸部が形成されており、
前記下部緩衝体が前記底トレー内部に設けられた状態においては、
該凸部が前記底トレーの側面と当接することを特徴とする請求項５に記載の包装装置。
【請求項７】
前記外装ケースの開口部には、
前記下部緩衝体に形成された前記凸部と対応する位置に切り欠きが設けられていることを特徴とする請求項６に記載の包装装置。
【請求項８】
前記水槽の底部を支持する底部緩衝体と、
前記冷蔵庫の脚部を支持する脚部緩衝体とを少なくとも備え、
前記底部緩衝体の側面又は前記脚部緩衝体の側面の一方に連結用凹部を形成し、
前記底部緩衝体の側面又は前記脚部緩衝体の側面の他方に連結用凸部を形成し、
前記連結用凹部に前記連結用凸部を挿入して、前記底部緩衝体と前記脚部緩衝体を連結していることを特徴とする請求項６又は請求項７に記載の包装装置。
【請求項９】
前記下部緩衝体を、スチレン系樹脂の回収品から得られた発泡性粒子より成型したことを特徴とする請求項６〜請求項８のいずれかに記載の包装装置。
【発明の詳細な説明】
【技術分野】
【０００１】
この発明は包装装置に関し、特に洗濯機を包装する包装装置に関するものである。
【背景技術】
【０００２】
一般に、衣類取出口が形成された本体の内部に吊り下げ収容された水槽を備える洗濯機を輸送する際、本体や水槽の損傷を防止するため、衣類取出口の下部から水槽の上部にかけて緩衝装置を設け、本体内での水槽の揺動を抑制している。
【０００３】
このような従来の洗濯機の包装装置としては、例えば「３１は第１図に示すように開口部２０が上述の如く蓋２２により開閉される脱水兼用洗濯機１１を第１図に示す如く包装するにあたって使用される緩衝体で、詳細には上部緩衝部３２と下部緩衝部３３を緩衝材例えば発泡スチロールにより一体形成して有している。ここで、上部緩衝部３２は脱水兼用洗濯機１１の上面部である前記上部カバー１８に被装されるもので、下面部にその被装のための凹部３４を有しており、一方、この上部緩衝部３２の外形は包装箱３５が被される最適の寸法に設定している。これに対し、下部緩衝部３３は、上部緩衝部３２の下面より下方へ例えば筒状に延出され、その外周面部には上より順に第一，第二及び第三の挿入部３６，３７及び３８を形成している。画してそのうち、第一の挿入部３６は槽カバー１６に挿入されるもので、該槽カバー１６の内径と外径を合わせ、又、第二挿入部３７は前記バランスリング１７に挿入されるもので、該バランスリング１７の内径と外径を合わせ、更に第三の挿入部３８は回転槽１４内に収納された洗濯物かご３９の開口部に挿入されるもので、該洗濯物かご３９の開口部の内径と外径を合わせており、全体として順に径細となっている。」（例えば特許文献１参照）というものが提案されている。
【０００４】
【特許文献１】特開昭６２−１９３９８５号公報（第２〜３頁、図１）
【発明の開示】
【発明が解決しようとする課題】
【０００５】
しかしながら、従来のような包装装置では、衣類取出口の周辺部と水槽の上部との隙間が小さい洗濯機を輸送する際に、衣類取出口の周辺部と水槽の上部とが衝突して、衣類取出口の周辺部や水槽４３の上部に損傷が発生するという問題点があった。
【０００６】
本発明は上述のような課題を解消するためになされたものであり、衣類取出口の周辺部と水槽の上部との隙間が小さい洗濯機を輸送する際、衣類取出口の周辺部と水槽の上部とが衝突せず、衣類取出口の周辺部や水槽の上部の損傷を防止することができる洗濯機の包装装置を得ることを目的とする。
【課題を解決するための手段】
【０００７】
本発明に係る包装装置は、衣類取出口が形成された本体の内部に吊り下げ収容された水槽を備える洗濯機を包装する包装装置であって、前記本体の前記衣類取出口の周辺部と前記水槽の上部との間に第１の緩衝材を配置したものである。
【発明の効果】
【０００８】
本発明に係る包装装置は、衣類取出口の周辺部と水槽の上部との間に緩衝材を配置したので、衣類取出口の周辺部と水槽の上部との隙間が小さい洗濯機を輸送する際でも、衣類取出口の周辺部と水槽の上部とが衝突せず、衣類取出口の周辺部や水槽の上部の損傷を防止することができる。
【発明を実施するための最良の形態】
【０００９】
以下、本発明の実施の形態を図面に基づいて説明する。なお、包装装置のうち、洗濯機内部用の包装装置については実施の形態１として、洗濯機外部用の包装装置については実施の形態２として説明する。
【００１０】
実施の形態１．
図１は、本実施の形態１に係る洗濯機内部用の包装装置を示す側面断面模式図である。なお、以下の図では、各構成部材の大きさの関係が実際のものとは異なる場合がある。また、図１の左側を洗濯機の前方とし、右側を洗濯機の後方として説明する。
【００１１】
図１に示すように、洗濯機１００の本体１は、略直方体をしており、上部が前方に傾斜下降した形状となっている。この傾斜下降面には、衣類等の洗濯物を出し入れする略円形状の衣類取出口２が形成されており、この衣類取出口２を覆うように開閉自在な蓋３が設けられている。また、本体１の下部には、４本の脚４（図７）が設けられている。
【００１２】
本体１の内部には、中空有底で略円筒形状の水槽５が、上部の開口部を衣類取出口２と対向するように傾斜配置されており、本体１の上部の四隅に設けられた吊り下げ部（図示せず）を介して防振支持されて収容されている。この水槽５は、脱水時に後述する洗濯槽兼脱水槽６から飛散する水を受ける役目を果たすようになっている。水槽５の内部には、衣類等の洗濯物を収容し、その洗濯物の洗浄や脱水、乾燥等を行なう中空有底で略円筒形状の洗濯槽兼脱水槽６が回転自在に配置されている。この洗濯槽兼脱水槽６の下部には攪拌翼７が設けられ、洗濯槽兼脱水槽６の上部には洗濯槽兼脱水槽６で発生する振動を減衰させるリング状のバランサ（図示せず）が配設されている。また、この水槽５の下部には、洗濯槽兼脱水槽６や攪拌翼７を回転駆動するための電動機８が配設されている。この電動機８は、図示省略のＤＣモータやギア、クラッチ等で構成されている。
【００１３】
衣類取出口２の下部から水槽５の上部にかけて、洗濯機内部用の包装装置である内部緩衝部材１０が設けられている。この内部緩衝部材１０の前方には、本発明の第１の緩衝材に相当するシート状の緩衝材１１が設けられており、シート状の緩衝材１１の一部は、衣類取出口下方部９と水槽上部５ａとの間に配置されている。
【００１４】
図２は、本実施の形態１に係る内部緩衝部材１０及び緩衝材１１を示す斜視図である。
内部緩衝部材１０は、側面の一部が略円筒形状を有しており、上部円筒部分１０ａの外径は衣類取出口２の下部内径と対応した形状と、下部円筒部分１０ｂの外径は水槽５の上部内径と対応した形状となっている。また、内部緩衝部材１０の側面の略中央部には、衣類取出口２と水槽５の上部との間に挿入される凸部１０ｃが形成されている。また、内部緩衝部材１０の前方には凹部１０ｄが形成されており、この凹部１０ｄの上面部には、緩衝材１１が掛合される被掛合部１０ｅが形成されている。
【００１５】
緩衝材１１は略直方体のシート状部材であり、内部緩衝部材１０の被掛合部１０ｅに掛合される掛合部１１ａ、緩衝部１１ｂ、及びこれら掛合部１１ａと緩衝部１１ｂとを接続する接続部１１ｃから構成されている。緩衝材１１には、複数の折曲部が設けられており、これら折曲部で折り曲げることによって、緩衝材１１は図２に示す形状を形成している。そして、図１に示すように、内部緩衝部材１０の上部円筒部分１０ａと下部円筒部分１０ｂがそれぞれ衣類取出口２の下部と水槽５の上部に挿入された状態において、内部緩衝部材１０の被掛合部１０ｅに掛合部１１ａが掛止された緩衝材１１は、緩衝部１１ｂが衣類取出口下方部９と水槽上部５ａとの間に配置されることとなる。なお、このとき、上部円筒部分１０ａと衣類取出口２の下部との間、及び下部円筒部分１０ｂと水槽５の上部の間には、それぞれ空間が形成されており、内部緩衝部材１０の凸部１０ｃが水槽５の上方に載置されることによって、緩衝部１１ｂが衣類取出口下方部９と水槽上部５ａとの間に配置されることとなる。
【００１６】
図３〜図６は、本実施の形態１に係る緩衝材１１の詳細を示す図であり、図３はこの緩衝材１１を示す斜視図、図４はこの緩衝材１１を示す上面図、図５はこの緩衝材１１を示す側面図、及び図６はこの緩衝材１１を示す下面図である。これら図３〜図６を用いて、本実施の形態１に係る緩衝材１１の詳細について説明する。なお、図３〜図６においては、緩衝材１１の衣類取出口下方部９と対向する面を上面、緩衝材１１の水槽上部５ａと対向する面を下面としている。
【００１７】
前述したように、緩衝材１１は略直方体のシート状部材であり、複数の折曲部１１ｄが設けられることによって、掛合部１１ａ、緩衝部１１ｂ、及び接続部１１ｃが形成されている。また、緩衝部１１ｂの下面（水槽上部５ａと対向する面）には、本発明の第２の緩衝材に相当する例えば発泡樹脂製のカバー１２が例えば貼付等によって設けられている。このカバー１２と緩衝部１１ｂは、緩衝部１１ｂから接続部１１ｃの一部にかけて、例えばポリ袋等のような袋状に形成されたフィルム状の樹脂部材１３で覆われている。このフィルム状の樹脂部材１３の開口部は例えばテープで緩衝材１１に貼り付ける等して、固定されている。
【００１８】
なお、本実施の形態１においては、緩衝部１１ｂの下面のみにカバー１２を設けたが、緩衝部１１ｂの上面に設けてもよいし、緩衝部１１ｂの上面及び下面の両面に設けてもよい。
【００１９】
次に、洗濯機１００輸送時の内部緩衝部材１０及び緩衝材１１の作用について説明する。
洗濯機１００を輸送する際、振動や衝撃によって、本体１内に吊り下げ収容された水槽５は揺動しようとすると、水槽５が揺動しようとする方向とは逆側の下部円筒部分１０ｂと水槽５の上部とが衝突し、下部円筒部分１０ｂに圧縮荷重がかかり、内部緩衝部材１０は水槽５が揺動しようとする方向に移動する。そして、水槽５が移動使用とする方向と同じ側の上部円筒部分１０ａと衣類取出口２の下部とが衝突し、上部円筒部分１０ａに圧縮荷重がかかる。つまり、内部緩衝部材１０は、水槽５の上部と衣類取出口２の下部の両方から圧縮荷重を受けて変形する。このとき、内部緩衝部材１０が有する圧縮方向やせん断方向の剛性が水槽５の揺動の抵抗となり、水槽５の揺動を抑制し、本体１の側面内側と水槽５が衝突して損傷することを防止している。
【００２０】
内部緩衝部材１０によって、本体１内での水槽５の揺動は抑制されるものの、内部緩衝部材１０の圧縮荷重による変形によって、水槽５の揺動を完全に防止することはできない。このため、本実施の形態１に係る洗濯機１００のように衣類取出口下方部９と水槽上部５ａの間に形成される空間が狭い場合には、水槽５の揺動によって、衣類取出口下方部９と水槽上部５ａとが衝突し、衣類取出口下方部９や水槽上部５ａが損傷してしまう。
【００２１】
しかしながら、本実施の形態１では、緩衝材１１の緩衝部１１ｂが衣類取出口下方部９と水槽上部５ａとの間に配置されているので、衣類取出口下方部９や水槽上部５ａは緩衝部１１ｂに衝突し、このときの衝撃荷重は緩衝部１１ｂに吸収される。つまり、緩衝部１１ｂは防護壁として作用する。
【００２２】
このように構成された包装装置においては、緩衝材１１の緩衝部１１ｂが衣類取出口下方部９と水槽上部５ａとの間に配置されているので、衣類取出口下方部９と水槽上部５ａとは衝突せず、衝撃荷重が加わらないので、衣類取出口下方部９や水槽上部５ａの損傷を防止することができる。
【００２３】
また、内部緩衝部材１０の被掛合部１０ｅに緩衝材１１の掛合部１１ａが掛止されているので、冷蔵庫１００の輸送時に、振動や衝撃によって、緩衝材１１の緩衝部１１ｂが衣類取出口下方部９と水槽上部５ａとの間からずれることがなく、確実に衣類取出口下方部９と水槽上部５ａとの衝突を防止し、衣類取出口下方部９や水槽上部５ａの損傷を防止することができる。
【００２４】
また、緩衝材１１は、緩衝部１１ｂから接続部１１ｃの一部にかけて、フィルム状の樹脂部材１３で覆われているので、衣類取出口下方部９や水槽上部５ａが緩衝部１１ｂに衝突しても、緩衝材１１の微粉が衣類取出口下方部９や水槽上部５ａに付着することを防止することができる。また、緩衝部１１ｂの擦れ傷が衣類取出口下方部９や水槽上部５ａに着くことを防止することができる。
【００２５】
また、緩衝部１１ｂの下面（水槽上部５ａと対向する面）にカバー１２が設けられているので、衣類取出口下方部９や水槽上部５ａが緩衝部１１ｂやカバー１２に衝突したときの衝撃荷重をより吸収し、より衣類取出口下方部９や水槽上部５ａの損傷を防止することができる。
【００２６】
なお、本実施の形態１では、緩衝材１１の緩衝部１１ｂを衣類取出口下方部９と水槽上部５ａとの間に配置したが、緩衝部１１ｂを衣類取出口２の周辺部に配置することで、衣類取出口２の周辺部の損傷も防止することができる。
【００２７】
実施の形態２．
実施の形態１では、包装装置のうち洗濯機内部用の包装装置について説明したが、本実施の形態２においては、包装装置のうち洗濯機外部用の包装装置について説明する。
【００２８】
図７〜図９は、本実施の形態２に係る洗濯機外部用の包装装置を示す図であり、図７はこの洗濯機外部用の包装装置を示す側面断面模式図、図８はこの洗濯機外部用の包装装置を示す組立斜視図、及び図９はこの洗濯機外部用の包装装置を示す分解斜視図である。なお、図７の左側を洗濯機の前方とし、右側を洗濯機の後方として説明する。また、図９は、説明の理解を容易とするため、洗濯機１００が配置されていない状態の図となっている。
【００２９】
図７に示すように、洗濯機の外部用の包装装置は、底トレー２０、下部緩衝体２１、上部緩衝体２２、及び外装ケース２３等から構成されている。中空有底で上部が開口した略直方体の底トレー２０の内部には、下部緩衝体２１が設けられている。この下部緩衝体２１には、洗濯機１００の脚４と対応する位置に凹部２１ａが形成されており、洗濯機１００の脚４を支持する。
【００３０】
下部緩衝体２１上に載置されている洗濯機１００の上方には、上部緩衝体２２が設けられている。この上部緩衝体２２の上部及び側面部は、後述する外装ケース２３の内部形状に対応した形状となっており、また、下部は、洗濯機１００の本体１の上部形状に対応した凹部２２ａが形成され、本体１を包み込む形状となっている。
【００３１】
下部緩衝体２１、洗濯機１００、及び上部緩衝体２２を覆うように、中空で上部が閉塞され下部に開口部２３ａが形成された略直方体の外装ケース２３が設けられている。この外装ケース２３の開口部２３ａは、その外部形状が底トレー２０の内部形状よりもわずかに小さくなっており、底トレー２０に内包されている。また、外装ケース２３の内側の高さ（外装ケース２３の上面内側から開口部２３ａの開口端までの距離）は、下部緩衝体２１、洗濯機１００、及び上部緩衝体２２が底トレー２０に配置された状態の高さと同等であるか若干高い。このため、外装ケース２３が、下部緩衝体２１、洗濯機１００及び上部緩衝体２２を覆った状態では、外装ケース２３の開口部２３ａの開口端は、底トレー２０の底面に接触している。
【００３２】
本実施の形態２においては、下部緩衝体２１及び上部緩衝体２２は、スチレン系樹脂の回収品から得られた発泡性粒子より成形している。これにより、これまで埋め立て、焼却などの廃棄処理をせざるを得なかった樹脂を発泡体として再利用できることとなり、リサイクル社会の要請に応えることが可能となる。
【００３３】
図１０〜図１３は、本実施の形態２に係る下部緩衝体２１の詳細を示す図であり、図１０及び図１１はこの下部緩衝体２１を示す斜視図、図１２はこの下部緩衝体２１を示す上面図、図１３は図１２のＺ矢視図である。
【００３４】
図１０に示すように、下部緩衝体２１は、底部緩衝体２４及び脚部緩衝体２６等から構成されている。底部緩衝体２４は、略直方体で上部に凹部が形成されており、洗濯機１００が下部緩衝体２１上に配置された状態においては、凹部に電動機８を挿入するようにして水槽５の底部を支持する。この底部緩衝体２４の四隅方向には、連結部２５を介して略直方体の脚部緩衝体２６が連結されている。上述の凹部２１ａは脚部緩衝体２６の上部に設けられており、洗濯機１００が下部緩衝体２１上に配置された状態においては、洗濯機１００の脚４を支持する。また、底トレー２０の側面内側２０ａと対向する脚部緩衝体２６の側面には、凸部２７が形成されている。図１１に示すように、この凸部２７が底トレー２０の側面内側２０ａに当接するため、底トレー２０内部での下部緩衝体２１の位置決めが可能となる。このため、本実施の形態２にかかる包装装置で包装された洗濯機１００を安定して段積みすることができる。
【００３５】
また、図１２及び図１３に示すように、底部緩衝体２４と脚部緩衝体２６とは、連結部２５で連結可能な構造となっている。すなわち、連結部２５は、底部緩衝体２４に一体形成された連結部２５ａと、脚部緩衝体２６に一体形成された連結部２５ｂとから構成されている。そして、連結部２５ａと連結部２５ｂのそれぞれには、対応する凹部２８と凸部２９が形成されており、凹部２８に凸部２９を挿入することによって、底部緩衝体２４と脚部緩衝体２６とは連結され、一体となっている。
【００３６】
図９に示すように、外装ケース２３の開口部２３ａには、下部緩衝体２１の凸部２７と対応する位置に切り欠き２３ｂが形成されている。この切り欠き２３ｂを形成することにより、外装ケース２３の開口部２３ａの開口端は、底トレー２０の底面に接触することが可能となっている。このため、本実施の形態２にかかる包装装置で包装された洗濯機１００を段積みしても、外装ケース２３が荷重を支持し、安定した段積みが可能となっている。
【００３７】
本実施の形態２においては、切り欠き２３ｂは、開口部２３ａの角部から５０ｍｍ以上内側に形成されている。これは、外装ケース２３の上下方向の圧縮強度が低下することを防止するためである。
なお、切り欠き２３ｂと開口部２３ａの角部との距離５０ｍｍは、あくまでも一例であって切り欠き２３ｂの位置を限定するものではない。切り欠き２３ｂと開口部２３ａの角部との距離は、外装ケース２３の大きさや要求される耐荷重等によって適宜決定すればよい。
【００３８】
このように構成された包装装置においては、下部緩衝体２１、洗濯機１００及び上部緩衝体２２を覆った状態では、外装ケース２３の開口部２３ａの開口端は、底トレー２０の底面に接触しているので、本実施の形態２にかかる包装装置で包装された洗濯機１００を段積みしても、外装ケース２３が荷重を支持し、安定した段積みができる。
【００３９】
また、底トレー２０の側面内側２０ａと対向する脚部緩衝体２６の側面には、凸部２７が形成され、この凸部２７が底トレー２０の側面内側２０ａに当接するため、底トレー２０内部での下部緩衝体２１の位置決めができる。
【００４０】
また、外装ケース２３の開口部２３ａには、下部緩衝体２１の凸部２７と対応する位置に切り欠き２３ｂが形成されているので、脚部緩衝体２６の側面に凸部２７が形成されていても、外装ケース２３の開口部２３ａの開口端を底トレー２０の底面に接触させることができ、本実施の形態２にかかる包装装置で包装された洗濯機１００を段積みしても、外装ケース２３が荷重を支持し、安定した段積みができる。
【００４１】
また、凹部２８に凸部２９を挿入することによって、底部緩衝体２４と脚部緩衝体２６とを連結可能な構造としているので、稜・角落下や転倒時に底部緩衝体２４と脚部緩衝体２６が外れることなく、水槽５を確実に緩衝支持することで、洗濯機１００の損傷を防ぐことができる。
【００４２】
また、下部緩衝体２１及び上部緩衝体２２は、スチレン系樹脂の回収品から得られた発泡性粒子より成形しているので、これまで埋め立て、焼却などの廃棄処理をせざるを得なかった樹脂を緩衝体として再利用できることとなり、リサイクル社会の要請に応えることが可能となる。
【図面の簡単な説明】
【００４３】
【図１】実施の形態１に係る洗濯機の内部用包装装置を示す側面断面模式図である。
【図２】実施の形態１に係る内部緩衝部材１０及び緩衝材１１を示す斜視図である。
【図３】実施の形態１に係る緩衝材１１を示す斜視図である。
【図４】実施の形態１に係る緩衝材１１を示す上面図である。
【図５】実施の形態１に係る緩衝材１１を示す側面図である。
【図６】実施の形態１に係る緩衝材１１を示す下面図である。
【図７】実施の形態２に係る外部用の包装装置を示す側面断面模式図である。
【図８】実施の形態２に係る外部用の包装装置を示す組立斜視図である。
【図９】実施の形態２に係る外部用の包装装置を示す分解斜視図である。
【図１０】実施の形態２に係る下部緩衝体２１を示す斜視図である。
【図１１】実施の形態２に係る下部緩衝体２１を示す斜視図である。
【図１２】実施の形態２に係る下部緩衝体２１を示す上面図である。
【図１３】図１２のＺ矢視図である。
【符号の説明】
【００４４】
１  本体、２  衣類取出口、３  蓋、４  脚、５  水槽、５ａ  水槽上部、６  洗濯兼脱水槽、７  攪拌翼、８  電動機、９  衣類取出口下方部、１０  内部緩衝部材、１０ａ  上部円筒部分、１０ｂ  下部円筒部分、１０ｃ  凸部、１０ｄ  凹部、１０ｅ  被掛合部、１１  緩衝材、１１ａ  掛合部、１１ｂ  緩衝部、１１ｃ  接続部、１１ｄ  折曲部、１２  カバー、１３  フィルム状の樹脂部材、２０  底トレー、２０ａ  側面内側、２１  下部緩衝体、２１ａ  凹部、２２  上部緩衝体、２２ａ  凹部、２３  外装ケース、２３ａ  開口部、２３ｂ  切り欠き、２４  底部緩衝体、２５（２５ａ，２５ｂ）  連結部、２６  脚部緩衝体、２７  凸部、２８  凹部、２９  凸部、１００  洗濯機。
【図１】
2009154928.tif 000003
【図２】
2009154928.tif 000004
【図３】
2009154928.tif 000005
【図４】
2009154928.tif 000006
【図５】
2009154928.tif 000007
【図６】
2009154928.tif 000008
【図７】
2009154928.tif 000009
【図８】
2009154928.tif 000010
【図９】
2009154928.tif 000011
【図１０】
2009154928.tif 000012
【図１１】
2009154928.tif 000013
【図１２】
2009154928.tif 000014
【図１３】
2009154928.tif 000015
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
衣類取出口が形成された本体の内部に吊り下げ収容された水槽を備える洗濯機を包装する包装装置であって、
前記本体の前記衣類取出口の周辺部と前記水槽の上部との間に第１の緩衝材を配置したことを特徴とする包装装置。
【請求項２】
前記衣類取出口の下部から前記水槽の上部にかけて設けられた内部緩衝部材を少なくとも備え、
該内部緩衝部材には、前記第１の緩衝材が掛合される被掛合部が形成され、
前記第１の緩衝材には、前記被掛合部に掛合する掛合部が形成され、
前記第１の緩衝材は、前記内部緩衝部材に掛止されていることを特徴とする請求項１に記載の包装装置。
【請求項３】
前記第１の緩衝材は、
少なくとも前記衣類取出口の周辺部と前記水槽の上部との間に配置される範囲が、フィルム状の樹脂部材で覆われていることを特徴とする請求項１又は請求項２に記載の包装装置。
【請求項４】
前記第１の緩衝材と前記フィルム状の樹脂部材との間には、
さらに第２の緩衝材が設けられていることを特徴とする請求項３に記載の包装装置。
【請求項５】
上部に開口部を有した中空有底形状の底トレーと、
上部が閉塞され、下部に開口部を有した中空形状の外装ケースと、
を備え、
前記底トレーの上方に前記洗濯機を配置し、前記外装ケースが該洗濯機を上方より覆った状態においては、
前記外装ケースの開口部は、前記底トレーに内包され、
前記外装ケースの開口部と前記底トレーの底面とが接触していることを特徴とする請求項１〜請求項４のいずれかに記載の包装装置。
【請求項６】
前記底トレー内部に設けられ、上部に前記洗濯機が配置される下部緩衝体を備え、
前記底トレーの側面と対向する前記下部緩衝体の側面には凸部が形成されており、
前記下部緩衝体が前記底トレー内部に設けられた状態においては、
該凸部が前記底トレーの側面と当接することを特徴とする請求項５に記載の包装装置。
【請求項７】
前記外装ケースの開口部には、
前記下部緩衝体に形成された前記凸部と対応する位置に切り欠きが設けられていることを特徴とする請求項６に記載の包装装置。
【請求項８】
前記水槽の底部を支持する底部緩衝体と、
前記洗濯機の脚部を支持する脚部緩衝体とを少なくとも備え、
前記底部緩衝体の側面又は前記脚部緩衝体の側面の一方に連結用凹部を形成し、
前記底部緩衝体の側面又は前記脚部緩衝体の側面の他方に連結用凸部を形成し、
前記連結用凹部に前記連結用凸部を挿入して、前記底部緩衝体と前記脚部緩衝体を連結していることを特徴とする請求項６又は請求項７に記載の包装装置。
【請求項９】
前記下部緩衝体を、スチレン系樹脂の回収品から得られた発泡性粒子より成型したことを特徴とする請求項６〜請求項８のいずれかに記載の包装装置。
【手続補正２】
【補正対象書類名】明細書
【補正対象項目名】００２３
【補正方法】変更
【補正の内容】
【００２３】
また、内部緩衝部材１０の被掛合部１０ｅに緩衝材１１の掛合部１１ａが掛止されているので、洗濯機１００の輸送時に、振動や衝撃によって、緩衝材１１の緩衝部１１ｂが衣類取出口下方部９と水槽上部５ａとの間からずれることがなく、確実に衣類取出口下方部９と水槽上部５ａとの衝突を防止し、衣類取出口下方部９や水槽上部５ａの損傷を防止することができる。
【手続補正３】
【補正対象書類名】明細書
【補正対象項目名】００３３
【補正方法】変更
【補正の内容】
【００３３】
図１０〜図１３は、本実施の形態２に係る下部緩衝体２１の詳細を示す図であり、図１０及び図１１はこの下部緩衝体２１を示す斜視図、図１２はこの下部緩衝体２１を示す上面図、図１３は図１２の連結部の拡大図（連結前）である。
【手続補正４】
【補正対象書類名】明細書
【補正対象項目名】００４３
【補正方法】変更
【補正の内容】
【００４３】
【図１】実施の形態１に係る洗濯機の内部用包装装置を示す側面断面模式図である。
【図２】実施の形態１に係る内部緩衝部材１０及び緩衝材１１を示す斜視図である。
【図３】実施の形態１に係る緩衝材１１を示す斜視図である。
【図４】実施の形態１に係る緩衝材１１を示す上面図である。
【図５】実施の形態１に係る緩衝材１１を示す側面図である。
【図６】実施の形態１に係る緩衝材１１を示す下面図である。
【図７】実施の形態２に係る外部用の包装装置を示す側面断面模式図である。
【図８】実施の形態２に係る外部用の包装装置を示す組立斜視図である。
【図９】実施の形態２に係る外部用の包装装置を示す分解斜視図である。
【図１０】実施の形態２に係る下部緩衝体２１を示す斜視図である。
【図１１】実施の形態２に係る下部緩衝体２１を示す斜視図である。
【図１２】実施の形態２に係る下部緩衝体２１を示す上面図である。
【図１３】図１２の連結部の拡大図（連結前）である。